(57)【要約】【課題】無線ＬＡＮ（Local Area Network）の通信品質に応じて接続先を適切に切り替える。【解決手段】無線ＬＡＮ（Local Area Network）または前記無線ＬＡＮ以外の少なくとも一つの無線通信方式を使用して無線通信を行なう無線通信装置であって、無線ＬＡＮによる通信を行なう無線ＬＡＮモジュール３と、ＩＭＴ−２０００規格に準拠したデジタル携帯電話方式で通信を行なう３Ｇモジュール２と、複数の無線ＬＡＮ基地局から受信した信号の受信品質が、第１の閾値より大きいかどうかを判定し、第１の閾値よりも大きい受信品質の信号を送信した無線ＬＡＮ基地局が存在する場合は、予め登録された無線ＬＡＮ基地局の優先順位が最高順位である無線ＬＡＮ基地局を選択する制御部４と、を備え、前記選択された無線ＬＡＮ基地局と通信を行なう。【選択図】図２
2013051610.tif 000002
【特許請求の範囲】
【請求項１】
無線ＬＡＮ（Local Area Network）または前記無線ＬＡＮ以外の少なくとも一つの無線通信方式を使用して無線通信を行なう無線通信装置であって、
無線ＬＡＮによる通信を行なう無線ＬＡＮモジュールと、
前記無線ＬＡＮ以外の通信方式で通信を行なう少なくとも一つの無線モジュールと、
周囲に存在する複数の無線ＬＡＮ基地局から受信した信号の受信品質を第１の閾値と比較し、前記第１の閾値よりも良い受信品質の信号を送信した無線ＬＡＮ基地局が存在し、かつ、予め接続に必要な情報が前記無線通信装置に登録されている無線ＬＡＮ基地局である場合に、その複数の該当する無線ＬＡＮ基地局のうち優先順位が最高順位である無線ＬＡＮ基地局を選択する制御部と、を備え、
前記選択された無線ＬＡＮ基地局と通信を行なうことを特徴とする無線通信装置。
【請求項２】
前記制御部は、無線ＬＡＮで通信中の無線ＬＡＮ基地局から受信した信号の受信品質を第２の閾値と比較し、前記通信中の無線ＬＡＮ基地局から受信した信号の受信品質が、前記第２の閾値よりも悪い場合は、周囲に存在する無線ＬＡＮ基地局をサーチし、前記第１の閾値よりも良い受信品質の信号を送信する無線ＬＡＮ基地局が存在するか否かを確認し、前記第１の閾値よりも良い受信品質の信号を送信する無線ＬＡＮ基地局が存在し、かつ、予め接続に必要な情報が前記無線通信装置に登録されている無線ＬＡＮ基地局である場合、その複数の該当する無線ＬＡＮ基地局のうち優先順位が最高順位である無線ＬＡＮ基地局を選択し、前記選択された無線ＬＡＮ基地局と通信を行なうことを特徴とする請求項１記載の無線通信装置。
【請求項３】
前記制御部は、無線ＬＡＮで通信中の無線ＬＡＮ基地局から受信した信号の受信品質を第２の閾値と比較し、前記通信中の無線ＬＡＮ基地局から受信した信号の受信品質が、前記第２の閾値よりも悪い場合で、かつ、前記第１の閾値よりも良い受信品質の信号を送信する無線ＬＡＮ基地局が周囲に存在しない場合は、前記無線ＬＡＮ以外の通信方式で通信を行なう無線モジュールを選択し、通信を継続することを特徴とする請求項１記載の無線通信装置。
【請求項４】
無線ＬＡＮ（Local Area Network）による通信を行なう無線ＬＡＮモジュールおよび前記無線ＬＡＮ以外の通信方式で通信を行なう少なくとも一つの無線モジュールを備える無線通信装置のプログラムであって、
複数の無線ＬＡＮ基地局から無線信号を受信する処理と、
前記受信した信号の受信品質が、第１の閾値より良いかどうかを判定する処理と、
前記判定の結果、前記第１の閾値よりも良い受信品質の信号を送信した無線ＬＡＮ基地局が存在する場合は、予め接続に必要な情報が前記無線通信装置に登録された複数の無線ＬＡＮ基地局のうち接続優先順位が最高順位である無線ＬＡＮ基地局を選択する処理と、
前記選択された無線ＬＡＮ基地局と通信を行なう処理と、の一連の処理を、コンピュータに実行させることを特徴とするプログラム。
【請求項５】
無線ＬＡＮで通信中の無線ＬＡＮ基地局から受信した信号の受信品質を第２の閾値と比較する処理と、
前記通信中の無線ＬＡＮ基地局から受信した信号の受信品質が、前記第２の閾値よりも悪い場合は、周囲に存在する無線ＬＡＮ基地局をサーチし、前記第１の閾値よりも良い受信品質の信号を送信する無線ＬＡＮ基地局が存在するか否かを確認する処理と、
前記第１の閾値よりも良い受信品質の信号を送信する無線ＬＡＮ基地局が存在し、かつ、予め接続に必要な情報が前記無線通信装置に登録されている無線ＬＡＮ基地局である場合は、その複数の該当する無線ＬＡＮ基地局のうち優先順位が最高順位である無線ＬＡＮ基地局を選択し、前記選択された無線ＬＡＮ基地局と通信を行なう処理をさらに含むことを特徴とする請求項４記載のプログラム。
【請求項６】
無線ＬＡＮで通信中の無線ＬＡＮ基地局から受信した信号の受信品質を第２の閾値と比較する処理と、
前記通信中の無線ＬＡＮ基地局から受信した信号の受信品質が、前記第２の閾値よりも悪い場合で、かつ、前記第１の閾値よりも良い受信品質の信号を送信する無線ＬＡＮ基地局が周囲に存在しない場合は、前記無線ＬＡＮ以外の通信方式で通信を行なう無線モジュールを選択し、通信を継続する処理をさらに含むことを特徴とする請求項４記載のプログラム。
【発明の詳細な説明】
【技術分野】
【０００１】
本発明は、無線ＬＡＮ（Local Area Network）の通信品質に応じて接続先を切り替える技術に関する。
【背景技術】
【０００２】
従来から、無線ＬＡＮ、携帯電話等の異なる無線メディアを統合した技術が知られている。無線ＬＡＮ端末において、無線ＬＡＮ基地局への接続開始時、通話開始時または通話中に受信電波の低下を検出した場合、複数の無線ＬＡＮ基地局を検索し、無線ＬＡＮ基地局からの受信電波強度（RSSI : Received Signal Strength Indicator）や信号対雑音比（SNR : Signal to Noise Ratio）を比較し、最適な無線ＬＡＮ基地局を選択して接続している。
【０００３】
例えば、特許文献１には、音声通信を実施する無線ＬＡＮ端末が、複数の無線ＬＡＮ基地局を検出した際に、無線ＬＡＮ基地局から得た情報に基づいて、音声通信に最適な無線ＬＡＮ基地局を接続先として選択する無線ＬＡＮシステムが開示されている。この無線ＬＡＮシステムでは、無線ＬＡＮ端末が、無線ＬＡＮ基地局との無線通信状態を常時取得し、この無線通信状態に基づいて、トラフィック量が閾値以下であるか否かを判定する。また、無線ＬＡＮ端末は、通信品質および音声品質を判定し、この判定結果に基づいて、無線ＬＡＮ基地局に接続するかどうかを決定する。
【先行技術文献】
【特許文献】
【０００４】
【特許文献１】特開２０１０−０９８３９７号公報
【発明の概要】
【発明が解決しようとする課題】
【０００５】
しかしながら、無線ＬＡＮへの接続後に、通信品質が悪く、通信が困難または不能な状態に陥る場合がある。従来の技術では、通信状態取得を無線ＬＡＮ基地局側で行なっており、また、この場合の具体的な解決策が提示されていない。無線ＬＡＮ、携帯電話等の異なる無線メディアを統合した場合、統合のメリットを十分に生かせる手法が望まれる。
【０００６】
本発明は、このような事情に鑑みてなされたものであり、無線ＬＡＮの通信品質に応じて、無線ＬＡＮ基地局から提供される通信状態情報を用いることなく端末装置側の動作だけで接続先を適切に切り替えることができる無線通信装置およびプログラムを具体的に提案することを目的とする。
【課題を解決するための手段】
【０００７】
（１）上記の目的を達成するために、本発明は、以下のような手段を講じた。すなわち、本発明の無線通信装置は、無線ＬＡＮまたは前記無線ＬＡＮ以外の少なくとも一つの無線通信方式を使用して無線通信を行なう無線通信装置であって、無線ＬＡＮによる通信を行なう無線ＬＡＮモジュールと、前記無線ＬＡＮ以外の通信方式で通信を行なう少なくとも一つの無線モジュールと、周囲に存在する複数の無線ＬＡＮ基地局から受信した信号の受信品質を第１の閾値と比較し、前記第１の閾値よりも良い受信品質の信号を送信した無線ＬＡＮ基地局が存在し、かつ、予め接続に必要な情報が前記無線通信装置に登録されている無線ＬＡＮ基地局である場合に、その複数の該当する無線ＬＡＮ基地局のうち優先順位が最高順位である無線ＬＡＮ基地局を選択する制御部と、を備え、前記選択された無線ＬＡＮ基地局と通信を行なうことを特徴とする。
【０００８】
このように、複数の無線ＬＡＮ基地局から受信した信号の受信品質を第１の閾値と比較し、前記第１の閾値よりも良い受信品質の信号を送信している無線ＬＡＮ基地局が存在する場合は、予め接続に必要な情報が前記無線通信装置に登録されており、かつ、接続の優先順位が最高順位である無線ＬＡＮ基地局を選択し、選択された無線ＬＡＮ基地局と通信を行なうので、接続完了後には一定以上の通信品質で無線ＬＡＮを利用することが可能となる。
【０００９】
（２）また、本発明の無線通信装置において、前記制御部は、無線ＬＡＮで通信中の無線ＬＡＮ基地局から受信した信号の受信品質を第２の閾値と比較し、前記通信中の無線ＬＡＮ基地局から受信した信号の受信品質が、前記第２の閾値よりも悪い場合は、周囲に存在する無線ＬＡＮ基地局をサーチし、前記第１の閾値よりも良い受信品質の信号を送信する無線ＬＡＮ基地局が存在するか確認し、前記第１の閾値よりも良い受信品質の信号を送信する無線ＬＡＮ基地局が存在し、かつ、予め接続に必要な情報が前記無線通信装置に登録されている無線ＬＡＮ基地局である場合、その複数の該当する無線ＬＡＮ基地局のうち優先順位が最高順位である無線ＬＡＮ基地局を選択し、前記選択された無線ＬＡＮ基地局と通信を行なうことを特徴とする。
【００１０】
この構成により、無線ＬＡＮとその他の通信方式とを適切なタイミングで切り替えることが可能となる。
【００１１】
（３）また、本発明の無線通信装置において、前記制御部は、無線ＬＡＮで通信中の無線ＬＡＮ基地局から受信した信号の受信品質を第２の閾値と比較し、前記通信中の無線ＬＡＮ基地局から受信した信号の受信品質が、前記第２の閾値よりも悪い場合で、かつ、前記第１の閾値よりも良い受信品質の信号を送信する無線ＬＡＮ基地局が周囲に存在しない場合は、前記無線ＬＡＮ以外の通信方式で通信を行なう無線モジュールを選択し、通信を継続することを特徴とする。
【００１２】
この構成により、無線ＬＡＮとその他の通信方式とを適切なタイミングで切り替えることが可能となる。
【００１３】
（４）また、本発明のプログラムは、無線ＬＡＮ（Local Area Network）による通信を行なう無線ＬＡＮモジュールおよび前記無線ＬＡＮ以外の通信方式で通信を行なう少なくとも一つの無線モジュールを備える無線通信装置のプログラムであって、複数の無線ＬＡＮ基地局から無線信号を受信する処理と、前記受信した信号の受信品質が、第１の閾値より良いかどうかを判定する処理と、前記判定の結果、前記第１の閾値よりも良い受信品質の信号を送信した無線ＬＡＮ基地局が存在する場合は、予め接続に必要な情報が前記無線通信装置に登録された複数の無線ＬＡＮ基地局のうち接続優先順位が最高順位である無線ＬＡＮ基地局を選択する処理と、前記選択された無線ＬＡＮ基地局と通信を行なう処理と、の一連の処理を、コンピュータに実行させることを特徴とする。
【００１４】
このように、複数の無線ＬＡＮ基地局から受信した信号の受信品質が、第１の閾値より良いかどうかを判定し、前記第１の閾値よりも良い受信品質の信号を送信した無線ＬＡＮ基地局が存在する場合は、予め接続に必要な情報が前記無線通信装置に登録された複数の無線ＬＡＮ基地局のうち接続優先順位が最高順位である無線ＬＡＮ基地局を選択し、選択された無線ＬＡＮ基地局と通信を行なうので、常に一定以上の通信品質で無線ＬＡＮを利用することが可能となる。
【００１５】
（５）また、本発明のプログラムにおいて、無線ＬＡＮで通信中の無線ＬＡＮ基地局から受信した信号の受信品質を第２の閾値と比較する処理と、前記通信中の無線ＬＡＮ基地局から受信した信号の受信品質が、前記第２の閾値よりも悪い場合は、周囲に存在する無線ＬＡＮ基地局をサーチし、前記第１の閾値よりも良い受信品質の信号を送信する無線ＬＡＮ基地局が存在するか否かを確認する処理と、前記第１の閾値よりも良い受信品質の信号を送信する無線ＬＡＮ基地局が存在し、かつ、予め接続に必要な情報が前記無線通信装置に登録されている無線ＬＡＮ基地局である場合は、その複数の該当する無線ＬＡＮ基地局のうち優先順位が最高順位である無線ＬＡＮ基地局を選択し、前記選択された無線ＬＡＮ基地局と通信を行なう処理をさらに含むことを特徴とする。
【００１６】
この構成により、無線ＬＡＮとその他の通信方式とを適切なタイミングで切り替えることが可能となる。
【００１７】
（６）また、本発明のプログラムにおいて、無線ＬＡＮで通信中の無線ＬＡＮ基地局から受信した信号の受信品質を第２の閾値と比較する処理と、前記通信中の無線ＬＡＮ基地局から受信した信号の受信品質が、前記第２の閾値よりも悪い場合で、かつ、前記第１の閾値よりも良い受信品質の信号を送信する無線ＬＡＮ基地局が周囲に存在しない場合は、前記無線ＬＡＮ以外の通信方式で通信を行なう無線モジュールを選択し、通信を継続する処理をさらに含むことを特徴とする。
【００１８】
この構成により、無線ＬＡＮとその他の通信方式とを適切なタイミングで切り替えることが可能となる。
【発明の効果】
【００１９】
本発明によれば、複数の無線ＬＡＮ基地局から受信した信号の受信品質が、第１の閾値より良いかどうかを判定し、前記第１の閾値よりも良い受信品質の信号を送信した無線ＬＡＮ基地局が存在する場合は、予め接続に必要な情報が前記無線通信装置に登録された複数の無線ＬＡＮ基地局の接続優先順位が最高順位である無線ＬＡＮ基地局を選択し、選択された無線ＬＡＮ基地局と通信を行なうので、常に一定以上の通信品質で無線ＬＡＮを利用することが可能となる。また、無線ＬＡＮとその他の通信方式とを適切なタイミングで切り替えることが可能となる。
【図面の簡単な説明】
【００２０】
【図１】本実施形態に係る無線通信システムの概念を示す図である。
【図２】本実施形態に係る無線通信装置の概略構成を示すブロック図である。
【図３】本実施形態に係る無線通信装置の状態遷移図である。
【発明を実施するための形態】
【００２１】
図１は、本実施形態に係る無線通信システムの概念を示す図である。基地局装置１００は、３Ｇ（IMT-2000規格に準拠したデジタル携帯電話方式）のセルを構成する。無線ＬＡＮ基地局１０１は、点線で示された無線ＬＡＮエリアＡを構成し、無線ＬＡＮ基地局１０３は、点線で示された無線ＬＡＮエリアＢを構成する。無線通信装置１０５と１０７は、無線ＬＡＮモジュールと３Ｇモジュールの両方を搭載しており、それぞれの通信方式で通信が可能である。
【００２２】
ここで、無線ＬＡＮエリアＡにおいて、無線ＬＡＮ基地局１０１に近い点線の内側では、無線通信装置１０５と１０７は、十分なＲＳＳＩを得ることが可能である。しかし、無線ＬＡＮ基地局１０１に近い点線の外側と、遠い点線の内側との間では、十分なＲＳＳＩを得ることができない。また、無線ＬＡＮ基地局１０１に遠い点線の外側では、無線通信装置１０５と１０７は、無線ＬＡＮ基地局１０１と通信を行なうことはできない。同様に、無線ＬＡＮエリアＢにおいて、無線ＬＡＮ基地局１０３に近い点線の内側では、端末装置は、十分なＲＳＳＩを得ることが可能である。しかし、無線ＬＡＮ基地局１０３に近い点線の外側と、遠い点線の内側との間では、十分なＲＳＳＩを得ることができない。また、無線ＬＡＮ基地局１０３に遠い点線の外側では、無線通信装置１０５と１０７は、無線ＬＡＮ基地局１０３と通信を行なうことはできない。
【００２３】
図１において、無線通信装置１０５は、無線ＬＡＮ基地局１０１に近い点線の内側から外側に向かって移動しており、無線ＬＡＮ基地局１０１に近い点線の外側と、遠い点線の内側との間に到達している。このため、無線通信装置１０５は、無線ＬＡＮ基地局１０１から受信する信号のＲＳＳＩを十分に得ることができていない。従って、無線通信装置１０５は、通信手段を無線ＬＡＮから３Ｇに切り替えることが望ましい。
【００２４】
また、図１において、無線通信装置１０７は、無線ＬＡＮ基地局１０１に近い点線の内側から外側に向かって移動しており、無線ＬＡＮ基地局１０１に近い点線の外側と、遠い点線の内側との間に到達している。ところが、既に、無線通信装置１０７は、無線ＬＡＮ基地局１０３に近い点線の内側に入っているため、無線ＬＡＮ基地局１０３から受信する信号のＲＳＳＩを十分に得ることができている。このため、無線通信装置１０７は、通信の接続先を無線ＬＡＮ基地局１０１から１０３へ切り替えることが望ましい。
【００２５】
本実施形態では、このような状態にある無線通信装置１０５および１０７が接続先をうまく切り替えることができる手法を説明する。
【００２６】
図２は、本実施形態に係る無線通信装置の概略構成を示すブロック図である。この無線通信装置１は、３Ｇモジュール２と、無線ＬＡＮモジュール３と、制御部４と、を備えている。制御部４は、複数の無線ＬＡＮ基地局から受信した信号の受信品質が、第１の閾値より大きいかどうかを判定する。この受信品質として、受信信号強度（ＲＳＳＩ）、無線リンク物理速度（ＬｉｎｋＳｐｅｅｄ）、パケット誤り率または受信雑音レベルを用いることが可能である。この判定の結果、第１の閾値よりも良い受信品質の信号を送信した無線ＬＡＮ基地局が存在する場合は、予め接続に必要な情報が前記無線通信装置に登録された複数の無線ＬＡＮ基地局のうち接続優先順位が最高順位である無線ＬＡＮ基地局を選択する。そして、無線通信装置１は、制御部４が選択した無線ＬＡＮ基地局と通信を行なう。
【００２７】
また、制御部４は、無線ＬＡＮで通信中の無線ＬＡＮ基地局から受信した信号の受信品質が、第２の閾値よりも悪いかどうかを判定する。この判定の結果、通信中の無線ＬＡＮ基地局から受信した信号の受信品質が、第２の閾値よりも悪い場合で、かつ、第１の閾値よりも良い受信品質の信号を送信した無線ＬＡＮ基地局が存在しない場合は、無線ＬＡＮ以外の通信方式である３Ｇで通信を行なう３Ｇモジュール２を選択し、通信を継続する。
【００２８】
図３は、本実施形態に係る無線通信装置の状態遷移図である。（１）ＩＮＩＴは、起動時の状態を示し、イベント受信登録や各種設定の読み込みを行なう。そして、無線ＬＡＮを使用中であるかどうかを判定し、無線ＬＡＮを使用中でない場合は、無線ＬＡＮ状態のイベント待ち状態となる。一方、無線ＬＡＮを使用中であれば、３Ｇまたは無線ＬＡＮのどちらのインタフェースを使用中であるかを判断する。３Ｇのインタフェースを使用中である場合は、（２）ＭＯＢＩＬＥ（３Ｇ）の状態へ遷移する一方、無線ＬＡＮのインタフェースを使用中である場合は、（３）ＳＥＬＥＣＴＥＤの状態へ遷移する。
【００２９】
（２）ＭＯＢＩＬＥ（３Ｇ）の状態では、３Ｇ選択中であることを確認し、所定時間待機する（例えば、３０秒）。これは、無線ＬＡＮから３Ｇへ切り替わった後に、すぐに無線ＬＡＮへ戻ることから生ずるバタつきを防止するためである。次に、３Ｇイベント受信により、通信がされているかどうかを確認する。例えば、１秒後に再度３Ｇ通信状態を確認し、ユーザが意図的に３Ｇを使おうとしているかどうかを判断する。次に、無線ＬＡＮ基地局のネイバーリストに登録された無線ＬＡＮ基地局のうち、無線ＬＡＮ設定リストに存在するものを抽出して、接続可能な無線ＬＡＮ基地局リストを作成する。ここで、無線ＬＡＮ設定リストとは、ユーザが、手動または自動設定ツール等を用いて予め追加され論理的に接続可能となっている無線ＬＡＮ基地局のリストのことである。作成された接続可能な無線ＬＡＮ基地局リストを接続優先度の順に並び替える。この接続優先度とは、ＲＳＳＩを優先度の第１キーとするが、接続したい無線ＬＡＮ基地局の種別によって重み付けをすることによって、優先度を並べ替えても良い。なお、接続可能な無線ＬＡＮ基地局の判別は、ＳＳＩＤ（Service Set Identifier）をもって行なうのが通常である。
【００３０】
（３）ＳＥＬＥＣＴＥＤの状態では、無線ＬＡＮの接続イベントを待ち受けし、イベント受信があった場合は、ステータスを確認する。ここでは、起動フラグがＯＮである場合、ネイバーリストの接続中以外の無線ＬＡＮ基地局のＳＳＩＤへ接続不可とし、起動フラグをＯＦＦに変更して、（５）ＣＯＭＰＬＥＴＥへ遷移する。一方、イベント受信が無い場合は、選択中の無線ＬＡＮ基地局への接続失敗として、接続可能無線ＬＡＮ基地局リストの選択中無線ＬＡＮ基地局のＳＳＩＤに失敗フラグを立てて、（４）切り替え先判定に遷移する。
【００３１】
（４）切り替え先判定では、接続可能無線ＬＡＮ基地局リストのＲＳＳＩをチェックする。そして、失敗フラグが立っておらず、ＲＳＳＩが例えば−６０ｄＢｍ（第１の閾値）より大きく、優先度が最も高い無線ＬＡＮ基地局のＳＳＩＤを接続可能の状態に設定する。ここで、接続可能な無線ＬＡＮ基地局のＳＳＩＤを選定できない場合は、無線ＬＡＮ基地局ネイバーリスト上の全てのＳＳＩＤを接続不可とし、（２）ＭＯＢＩＬＥ（３Ｇ）へ遷移する。一方、無線ＬＡＮ基地局のＳＳＩＤが選定できた場合は、無線ＬＡＮ基地局ネイバーリスト上で、選定した無線ＬＡＮ基地局のＳＳＩＤを接続可能の状態に設定し、それ以外の無線ＬＡＮ基地局のＳＳＩＤをすべて接続不可として、（３）ＳＥＬＥＣＴＥＤに遷移する。
【００３２】
（５）ＣＯＭＰＬＥＴＥの状態では、無線ＬＡＮの接続イベントを待機し、無線ＬＡＮのインタフェースがＯＮであり、ステータスがＩＰアドレス取得済みであるかどうかを判断する。この判断を、例えば、１秒毎に行なう。イベント受信があった場合は、ステータスを確認し、起動フラグがＯＮである場合、ネイバーリストの接続中以外の無線ＬＡＮ基地局のＳＳＩＤを接続不可とし、起動フラグをＯＦＦに変更して、（５）ＣＯＭＰＬＥＴＥに遷移する。一方、イベント受信が無かった場合は、選択中無線ＬＡＮ基地局の接続が失敗であり、接続可能無線ＬＡＮ基地局リストの選択中の無線ＬＡＮ基地局のＳＳＩＤに失敗フラグを立てて、（４）切り替え先判定に遷移する。
【００３３】
（６）ＩＤＬＥの状態では、無線ＬＡＮの品質判定を行なう。この判定を１秒毎に行なう。接続中の無線ＬＡＮ基地局が、例えばＲＳＳＩが−１００ｄＢｍ（第２の閾値）より小さいかどうかを判定しても良い。この条件を満たさない場合は、この判断を繰り返す。一方、この条件を満たした場合は、無線ＬＡＮの接続候補がある場合は、（３）ＳＥＬＥＣＴＥＤへ遷移し、無線ＬＡＮの接続候補が無い場合は、（２）ＭＯＢＩＬＥ（３Ｇ）に遷移する。なお、（６）ＩＤＬＥの状態で、無線通信装置が無線ＬＡＮ基地局側の認証サーバとの間で認証処理の動作に入った時は、（７）ＡＵＴＨの状態へ遷移しても良い。（７）ＡＵＴＨでは、認証完了イベントを待機し、認証完了するまでは接続中の無線ＬＡＮの品質判定を停止し、切替動作を抑止する。認証完了した場合は、（６）ＩＤＬＥへ遷移する。認証失敗であって、無線ＬＡＮ接続候補が無い場合は、（３）ＳＥＬＥＣＴＥＤに遷移する。
【００３４】
以上説明したように、本実施形態に係る端末装置によれば、複数の無線ＬＡＮ基地局から受信した信号の受信品質が、第１の閾値より良いかどうかを判定し、前記第１の閾値よりも良い受信品質の信号を送信した無線ＬＡＮ基地局が存在する場合は、予め接続に必要な情報が前記無線通信装置に登録された無線ＬＡＮ基地局のＳＳＩＤのうち接続優先順位が最高順位である無線ＬＡＮ基地局を選択し、選択された無線ＬＡＮ基地局と通信を行なうので、常に一定以上の通信品質で無線ＬＡＮを利用することが可能となる。また、無線ＬＡＮとその他の通信方式とを適切なタイミングで切り替えることが可能となる。
【符号の説明】
【００３５】
１  無線通信装置
２  ３Ｇモジュール
３  無線ＬＡＮモジュール
４  制御部
１００  基地局装置
１０１  無線ＬＡＮ基地局
１０３  無線ＬＡＮ基地局
１０５  無線通信装置
１０７  無線通信装置
【図１】
2013051610.tif 000003
【図２】
2013051610.tif 000004
【図３】
2013051610.tif 000005